(57)【要約】【課題】  ディジタルカメラの画像データの保存が、その内部メモリーの残量が不十分になったとき、この目的のための別個のサービスを使用することなく、したがって、この目的のために別個に設定されたサービスの提供に必要な管理もなくして、実行できるようにすることである。【解決手段】  データを蓄積するメモリーの使用量を検出するメモリー使用量検出手段、既に契約している任意のメールサーバーに当該データをメールの添付ファイルとして送信する当該添付ファイル付メール送信手段、及び当該メモリー使用量検出手段が検出した使用量が所定値に達したとき、当該添付ファイル付メール送信手段を動作させる手段を含むようにした上記のディジタルカメラ付携帯電話。【選択図】  図１
2005269254.tif 000002
【特許請求の範囲】
【請求項１】
ディジタルカメラと、
当該ディジタルカメラが撮影した画像のデータを蓄積するメモリーと、
画像転送装置と、
を持つディジタルカメラ付携帯電話であって、
当該画像転送装置は、
当該データを蓄積する当該メモリーの使用量を検出するメモリー使用量検出手段と、
当該データを既に契約している任意のメールサーバーにメールの添付ファイルとして送信する当該添付ファイル付メール送信手段と、
当該メモリー使用量検出手段が検出した使用量が所定値に達したとき、当該添付ファイル付メール送信手段を動作させる手段と、
を含むようにした上記のディジタルカメラ付携帯電話。
【請求項２】
ディジタルカメラと、
当該ディジタルカメラが撮影した画像のデータを蓄積するメモリーと、
画像転送装置と、
を持つディジタルカメラ付携帯電話であって、
当該画像転送装置は、
当該データを蓄積する当該メモリーの使用量を検出するメモリー使用量検出手段と、
当該データを既に契約している任意のメールサーバーにメールの添付ファイルとして送信する当該添付ファイル付メール送信手段と、
当該メモリー使用量検出手段が検出した使用量が第一の所定値に達したとき、当該添付ファイル付メール送信手段を動作させる手段と、
当該メモリー使用量検出手段が検出した使用量が当該第一の使用量より小さい第二の所定値に達したとき、当該添付ファイル付メール送信手段を不作動とする手段と、
を含むようにした上記のディジタルカメラ付携帯電話。
【請求項３】
当該添付ファイル付メール送信手段は、当該メモリーに蓄積された古いデータから、順次送信するようにした請求項１または２によるディジタルカメラ付携帯電話。
【発明の詳細な説明】
【技術分野】
【０００１】
この発明はディジタルカメラ付き携帯電話における自動データ転送システムに関する。
【背景技術】
【０００２】
特許文献１には、ディジタルカメラで撮影した画像を蓄積するメモリーの残量が不足して、もはや、蓄積できなくなったとき、携帯電話と通信し、携帯電話を介してサーバーに自動接続し、サーバーへの保存を促すガイドを表示し、サーバーに画像データを保存のために転送することが開示されている。この先行技術によると、転送した画像データをディジタルカメラの保存メモリーから消去している。ユーザーは専用のバックアップ用にサーバーサービスと契約する必要があり、転送した画像データにアクセスするためには、この別個の契約サービスを利用する必要があった。
【０００３】
特許文献２には、マルチメディア機器で使用するデータをユーザーに代わってデータを保管するプロバイダーサービスが提案されている。この提案は、当然、保管対象データとともに送信されるユーザー情報を、サーバー内のデータベース上の登録ユーザーデータと比較して、認証している。データ保管サービスを別個に利用すると、このような、認証やそのシステムが必要になる。
【０００４】
特許文献３には、ディジタルカメラに外部メモリーが装着されていないとき、または、当該外部メモリーの残量がないときに、画像データを無線通信回路を介して外部のデータベースに転送し保管しておいて、ディジタルカメラに外部メモリーが装着されたとき、自動的に当該無線通信回路を介して、当該外部メモリーに保存するディジタルカメラが開示されている。このディジタルカメラは、最新の画像データを一時的に無線通信回路を介して外部のデータベースに退避させることができるが、最新の画像をこのディジタルカメラで閲覧することのためだけに、通信料金を負担して、外部のデータベースから画像データを回収する必要がある。この先行技術の外部メモリーの容量管理も別途行う必要がある。
【０００５】
【特許文献１】特開２００１−１２８１１３号公報
【特許文献２】特開２００１−３２５２１８号公報
【特許文献３】特開２００２−１７１４３４号公報
【発明の開示】
【発明が解決しようとする課題】
【０００６】
この発明は、ディジタルカメラ付携帯電話において、ディジタルカメラの画像データの保存が、その内部メモリーの残量が不十分になったとき、先行技術にあるような、この目的のためだけの別個のサービスを使用することなく、したがって、この目的のために別個に設定されたサービスの提供に必要な管理もなくして、実行できるようにすることである。また、内部メモリーが不足している場合でも、先行技術の下でのように最新の画像がディジタルカメラで閲覧できないという不都合を解消することである。
【課題を解決するための手段】
【０００７】
この発明の課題は、ディジタルカメラが撮影した画像のデータを蓄積するメモリー、及び画像転送装置を持つディジタルカメラ付携帯電話において、当該データを蓄積する当該メモリーの使用量を検出するメモリー使用量検出手段、当該データを既に契約している任意のメールサーバーにメールの添付ファイルとして送信する当該添付ファイル付メール送信手段、及び当該メモリー使用量検出手段が検出した使用量が所定値に達したとき、当該添付ファイル付メール送信手段を動作させる手段とを、上述の画像転送装置が含むようにすることによって、達成される。
【０００８】
また、この発明の課題は、ディジタルカメラが撮影した画像のデータを蓄積するメモリー、及び画像転送装置を持つディジタルカメラ付携帯電話において、当該データを蓄積する当該メモリーの使用量を検出するメモリー使用量検出手段、当該データを既に契約している任意のメールサーバーにメールの添付ファイルとして送信する当該添付ファイル付メール送信手段、当該メモリー使用量検出手段が検出した使用量が第一の所定値に達したとき、当該添付ファイル付メール送信手段を動作させる手段、及び当該メモリー使用量検出手段が検出した使用量が当該第一の使用量より小さい第二の所定値に達したとき、当該添付ファイル付メール送信手段を不作動とする手段とを、同様の画像転送装置が含むようにすることによって達成される。
【０００９】
また、さらに、この発明の課題は、当該添付ファイル付メール送信手段が当該メモリーに蓄積された古いデータから順次送信するようにした同様の画像転送装置を有するディジタツカメラ付き携帯電話を提供することによって達せされる。
【発明の効果】
【００１０】
この発明は、画像データ転送保管のためのサービスを設定することなく、既に契約している任意のメールサービスを利用して、画像データの転送保管を行うので、画像データ転送保管のために別個の契約を必要としない。
【発明を実施するための最良の形態】
【００１１】
この発明によるディジタルカメラ付携帯電話の最良の実施形態を図１に一部を省略したブロック図で示す。１０はマイクロコンピュータ、２０は携帯電話に搭載されている映像データ保管メモリー、３０は携帯電話の表示手段に接続されるライン、４０はキーボードに接続されるライン、５０は携帯電話に組み込まれた電子メール発信手段に接続されるラインである。
【００１２】
マイクロコンピュータ１０は、キーボード接続ライン４０に接続された本体操作キーからの各種指示信号をマイコン内部の各部に指示する動作指示部１１、この動作指示部１１からの指示に基いてマイコン内部の各動作部の動作を制御する動作制御部１２、及び、後に述べるような、映像データ保管メモリー２０を含む記憶媒体全体の使用容量、現在使用している記憶媒体の容量、自動送信相手先アドレス等の画面を必要な条件に合わせて画面表示を形成する画面表示部１３を有するようにプログラムされている。さらに、このマイクロコンピュータには、映像データ保管メモリー２０を含む記憶媒体全体の使用容量を検出するための使用容量検出部１５、当該記憶媒体全体の記憶容量に対して実際記録されているデータ領域の使用容量が何%かを判定する使用容量判定部１４、当該記憶媒体全体の容量が指定量を超えた場合に送信(転送)する相手先の送信アドレスを設定する送信アドレス設定部１７、複数の送信相手先アドレスを記憶し、優先順位の指示データを管理する送信アドレス記憶部１６、及び、予め設定された使用容量を超えた場合、指定容量分のみをサーバー経由でメール送信を実行するための自動送信実行部１８が含まれる。
【００１３】
この構成の画像転送装置の作動を説明する。この装置の設定は、図２ないし６を参照して以下説明するように、行われる。図２は、この設定のメニュー画面が示されている。この画面の項目１は、この画像転送装置によって、一定量の画像データがメモリーに蓄積された場合、指定量の画像データを自動的に転送するか否かを選択するためである。自動転送をオンに選択した場合だけ、この画像転送装置は作動する。メニュー画面に「送信アドレス設定」、「送信基準」、「空き容量」、「メール容量」とタイトルで表示されている項目の設定も有効となる。
【００１４】
「送信アドレス設定」を選択すると、図３の画面が現れ、メールアドレスを入力して設定できる。複数個のメールアドレスを優先順位をつけて設定できる。「送信基準」を選択すると、図４の画面が現れ、画像データの自動転送を実行するための使用容量の基準値を設定できる。デフォルトでは９０％となっている。「空き容量」を選択すると、図５の画面が現れ、画像データの自動転送を実行することにより確保すべき空き容量値を設定できる。デフォルトでは５０％となっている。「メール容量」を選択すると、図６の画面が現れ、一メールあたり添付できるデータの量の上限値を設定する。デフォルトでは1メガとなっている。この設定により、送信容量設定値になるまで、自動的に複数のメールに分割して送信できる。
【００１５】
この自動転送装置の動作を図7のフローチャートを参照して説明する。ユーザーが自動転送をオンに設定してある（選択肢７１）と、工程７２で、画像データのメモリーの使用容量を超えているか否かを使用容量判定部１４が判定する。超えていると判定する（選択肢７２１）と、自動送信実行部１８が工程７４で自動的に新規メール作成を立ち上げる。また、超えていないと判定すれば（選択肢７２２）、この自動転送装置は何も動作しない。
【００１６】
自動送信実行部１８が工程７４で自動的に新規メール作成を立ち上げると、新規メールの宛先に、送信アドレス設定部１７が送信アドレス記憶部１６に記録した優先順位１のメールアドレスを入力する工程７４１が実行される。同様に、優先順位２と３のメールアドレスも、送信アドレス記憶部１６に記録してあれば、宛先として入力される（工程７４２）。工程７４３では、メールの件名の欄に、たとえば、「From携帯電話」などのメール識別が行える文言を自動的に入力する。さらに、工程７４４では、メールの本文にこの携帯電話のメールアドレスなどを入力する。工程７５では、映像データ保管メモリー２０に蓄積されている画像データの中で、そのときもっとも古い画像データファイルを添付書類として添付する。メール添付後、工程７６で、使用容量判定部１４は、メモリー使用残量が上述した図５で設定した空き容量値より大であるか否かを判定する。
【００１７】
使用容量判定部１４の空き容量判定が大でなければ、すなわち、残量が設定空き容量値より小である場合（選択肢７６１）、メール添付ファイルの容量が図６で設定したメール容量上限値より大であるかを否かの判定が工程７７で行われる。判定が大でなければ（選択肢７７１）、すなわち、メール添付ファイルの容量が設定したメール容量上限値より小であれば、このメールにさらに画像データを添付するために工程７５が実行される。工程７７でメール添付ファイルの容量が上限値より大であると判定される場合（選択肢７７２）、新規メール作成を終了して（工程７８）、次のメール作成手順に移る（選択肢７８１）。
【００１８】
使用容量判定部１４の空き容量判定が大であれば、すなわち、残量が設定空き容量値より大である場合（選択肢７６２）、そのまま、工程７９でメールの作成を終了する。
【００１９】
工程８０で、作成を終了して未送信となっているメールが送信処理される。工程７８で作成されたメールは、メールサーバーの添付ファイル容量制限を越えているので、それぞれのメールサーバーで定まった処理がされる。この容量制限を越えた画像ファイルが添付された場合は、図示しない別の工程で、工程７５で添付すべき画像ファイルの容量を縮減することができるのは、当業者には明らかである。
【００２０】
この自動転送装置は、工程７２において、画像メモリーの使用容量が規定値以上であるとき、作動を開始し、工程７６において画像メモリーの残量が規定以上になるまで、自動的に継続される。従って、携帯電話に内蔵されたディジタルカメラの画像データメモリーは、常に、余裕あるエリアが維持される。
【００２１】
この転送作動は、画像ファイルの古いものから順番に、携帯電話メール機能を利用して行われる。閲覧編集したい可能性の高い最新のものは、ディジタルカメラに付帯したメモリーに残っているので、そのまま、直ちに容易に閲覧し、編集できる。
【００２２】
また、画像データは、メールの添付ファイルとして送信、受信することによって転送されるので、宛先をメールアドレスを持つパーソナルコンピュータにすることによって、転送先において保存した画像データを管理変更する事が容易できる。
【図面の簡単な説明】
【００２３】
【図１】この発明の実施例を示すブロック図である。
【図２】この発明の実施例が有する画像転送設定メニュー画面を模式的に示す。
【図３】この発明の実施例の送信アドレス設定メニュー画面を模式的に示す。
【図４】この発明の実施例の送信基準量設定メニュー画面を模式的に示す。
【図５】この発明の実施例の空き容量基準量設定メニュー画面を模式的に示す。
【図６】この発明の実施例のメール容量設定メニュー画面を模式的に示す。
【図７】この発明の実施例の作動を示すフローチャートである。
【符号の説明】
【００２４】
１０  マイクロコンピュータ
１１  動作指示部
１２  動作制御部
１３  画面表示部
１８  自動送信実行部
２０  映像データ保管メモリー
【図１】
2005269254.tif 000003
【図２】
2005269254.tif 000004
【図３】
2005269254.tif 000005
【図４】
2005269254.tif 000006
【図５】
2005269254.tif 000007
【図６】
2005269254.tif 000008
【図７】
2005269254.tif 000009